(57)【要約】【課題】従来の塗膜転写具は使いはじめにスリップして転写開始が出来ないことや、短い長さの揃った転写が難しいという欠点があった。本発明は、使い始めにスリップせず確実に転写開始可能で、かつ短い転写が容易にできる塗膜転写具を得ることが可能である。【解決手段】塗膜を転写するための転写ローラーを揺動可能に本体に枢着し、その揺動によって回転伝達手段を介して転写ローラーを強制的に回転させテープを繰り出す構成にした。また回転伝達手段にクラッチを内蔵して、揺動の戻り時や長い転写時に回転伝達手段が転写ローラーの単独回転を阻害する不具合を解消した。【選択図】図１０
2012066561.tif 000002
【特許請求の範囲】
【請求項１】
片面に塗膜が塗布されたテープ基材と、該テープ基材が巻装され回転可能な供給リールと、該供給リールから引き出された該テープ基材を被着面に押し付けて該塗膜を転写する転写ローラーと、該塗膜が転写された後の使用済みテープ基材を回転して巻き取る巻き取りリール、がベース内に配設され手持ちで使用される塗膜転写具であって、
一端が該ベースに揺動可能に枢着され他端で該転写ローラーを回転可能に支持する転写アームと、該揺動を片方向に付勢するばね部材と、該ベースに形成され該揺動中心と同心円状の外縁部を有し接触する相手部材を回転させる駆動手段と、該駆動手段によって回転させられ該転写アーム上に配設される回転伝達手段と、該転写ローラーと一体に形成され該回転伝達手段によって回転させられる被回転手段とを備え、
該ばね部材の付勢力に抗して該転写ローラーを該被着面におしつけることで、該転写アームと該転写ローラーが揺動し、同時に該転写ローラーが該駆動手段及び該回転伝達手段及び該被回転手段によって転写方向に強制的に回転させられることを特徴とする塗膜転写具。
【請求項２】
前期回転伝達手段は、前期駆動手段と噛合する遊星ギアと、一端が該遊星ギアを回転可能に支持し多端が揺動可能に前期転写アームに枢着された遊星アームとから構成され、該遊星ギアの回転方向に応じて該転写アームが揺動して前期駆動手段と該遊星ギアとの噛合を外し、前期駆動手段と前期被回転手段との回転伝達を切り離すクラッチとして作用することを特徴とする請求項１記載の塗膜転写具。
【請求項３】
前期回転伝達手段は、前期駆動手段と噛合し内部にラチェット爪が係合する溝を有したラチェットホイールギアと、該ラチェットホイールギアと回転同軸に組み合わされラチェット爪を有したラチェットギアから構成され、該ラチェットホイールギアと該ラチェットギアが回転の一方向において一体となって回転して回転伝達手段として作用し反対方向に於いては前期駆動手段と前期被回転手段との回転伝達を切り離すクラッチとして作用することを特徴とする請求項１記載の塗膜転写具。
【請求項４】
前期回転伝達手段は、前期駆動手段と噛合しラチェット爪を有したラチェットギアと、該ラチェットギアと回転同軸に組み合わされ内部にラチェット爪が係合する溝を有したラチェットホイールギアから構成され、該ラチェットギアと該ラチェットホイールギアが回転の一方向において一体となって回転して回転伝達手段として作用し反対方向に於いては前期駆動手段と前期被回転手段との回転伝達を切り離すクラッチとして作用することを特徴とする請求項１記載の塗膜転写具。
【発明の詳細な説明】
【技術分野】
【０００１】  本発明は、使用者が手に持って押し付けたり引いたりする操作によって塗膜を転写するための塗膜転写具に関するものである。
【背景技術】
【０００２】  粘着剤や文字等をカバーして修正する塗膜を転写するための塗膜転写具は、従来より一般的にひろく用いられている。これらの塗膜転写具に於いては、ローラーやスクィージーのような先端が尖ったヘラを使って塗膜が塗られたテープ基材を塗膜と反対側から被転写面に押し付ける方法が多く用いられている。【０００３】  ローラーの場合、テープ基材面に接触して転がるために転写性は良好で操作も軽いが、反面、塗膜先端位置がローラー外径の円周上でばらつくため、転写を始めるべき位置からずれて転写開始される不具合が多々発生する。【０００４】  特開２００８−２３８７１号公報（特許文献１）では、使い終わるとローラーが後退してローラー直下につねに塗膜がくるようにして、使い始めでは必ずローラー直下の塗膜から転写が開始される提案がなされている。
又、特開２００８−２７９６２２号公報（特許文献２）では、ローラーで構成された第１の転写部と平坦状の転写面を有する第２の転写部をひとつの転写ヘッドとして構成し、かつその転写ヘッドの一端が揺動可能にケースに枢着され、その揺動の戻り方向の動きによって供給リールを回転させ、使用終了時につねに第１及び第２転写部の直下まで塗膜が繰り出される提案がなされている。
【先行技術文献】
【特許文献】
【０００５】
【特許文献１】特開２００８−２３８７１号公報
【特許文献２】特開２００８−２７９６２２号公報
【発明の概要】
【発明が解決しようとする課題】
【０００６】  従来のローラーを用いた塗膜転写具の場合、ローラー直下に塗膜先端があるときはローラーを被転写面に接触させた位置から転写を始めることが可能であるが、前回の終了時に塗膜が粘着性により引っ張られて、いわゆるのり引きしてローラー直下より手前で切れた場合、あたらしく引き始める時、ローラー直下には塗膜が存在せず、塗膜のないテープ基材を被着面に押し付けることになる。【０００７】  そのため、被転写面とテープ基材がスリップしてテープ基材上の塗膜先端を引き出すことが出来ない現象が多々発生する。この場合、塗膜転写具を被転写面により強く押し付けながら引く操作を繰り返してテープ基材上の塗膜先端を引き出さなければならない。【０００８】  このような不具合は、被転写面が長く例えば封筒の耳のような場合は差し支えない場合もあるが、被転写面が例えば切手大のように小さい場合、塗膜が被転写面をはみだす場合も多々あり大きな問題を有する。【０００９】  特に短い転写を繰り返すような場合、塗膜先端位置が一定でないため使用者が腕を動かしてひく操作では転写長さがばらつき、実用にならない大きな問題を有する。
【課題を解決するための手段】
【００１０】  本発明は、アーム状の転写アームの一端で転写ローラーを支持し、他端を固定側本体となるベースに揺動可能に枢着することによって、使用開始時は転写ローラーを被転写面に押し付けながら揺動させ、その揺動によって転写ローラー自身をわずかに回転させることによって、転写ローラーと被転写面に挟まれたテープ基材が繰り出される。【００１１】  使用開始時はベースに対する転写アームの揺動で回転伝達手段を介して転写ローラーが自転するが、使用終了時に揺動が戻るとき、又は転写ローラーを被転写面に押し付けたままで手前に引いて長い転写をする際には、ベースの駆動手段と転写ローラーの被駆動手段の連動を解除して、転写ローラーが自由に回転出来なければならない。このために回転伝達手段に遊星ギアを用いたクラッチ手段を配した。【００１２】  上記のクラッチ手段として、遊星ギアに変えてラチェットギアとラチェットホイールギアを設け、ラチェットホイールギアがベースの駆動手段で駆動される構成にした。【００１３】  上記のクラッチ手段として、遊星ギアに変えてラチェットギアとラチェットホイールギアを設け、ラチェットギアがベースの駆動手段で駆動される構成にした。
【発明の効果】
【００１４】  本発明の塗膜転写具によれば、使用開始時は被転写面にローラーを押し付けるだけで、ローラーが強制的に回転させられ、その結果ローラーと被転写面に挟まれたテープ基材が繰り出されて転写初めが確実に行われる。
短い転写の場合は、使用者が引く操作をすることなく、わずかに手首を折り曲げるだけで可能である。さらに、手首を折り曲げたまま引く操作をすると、連続して長い転写が行える。以上のように、本発明は従来の問題を払拭する効果を有する。
【図面の簡単な説明】
【００１５】
【図１】本発明の第１の実施例におけるカバー側から見た分解斜視図である。
【図２】本発明の第１の実施例におけるベース側から見た分解斜視図である。
【図３】本発明の第１の実施例におけるカバーを省略した平面図である。
【図４】図３におけるＹＹ断面図で、カバーは省略していない。
【図５】本発明の第１の実施例における使用状態を示すカバー側から見た平面図である。
【図６】本発明の第１の実施例における転写アーム付近をベース側から見た拡大平面図で、転写開始状態である。
【図７】本発明の第１の実施例における転写アーム付近をベース側から見た拡大平面図で、転写途中状態である。
【図８】本発明の第１の実施例における転写アーム付近をベース側から見た拡大平面図で、もうひとつの転写途中状態である。
【図９】本発明の第２の実施例におけるカバー側からみた分解斜視図で、カバーと上部を省略し転写アーム付近を拡大している。
【図１０】本発明の第２の実施例におけるベース側からみた分解斜視図で、カバーと上部を省略し転写アーム付近を拡大している。
【図１１】本発明の第２の実施例における転写アーム付近をベース側から見た部分拡大平面図で、転写開始状態である。
【図１２】本発明の第２の実施例における転写アーム付近をベース側から見た部分拡大平面図で、転写途中状態である。
【発明を実施するための形態】
【００１６】  以下、本発明の実施の形態を、図を基に説明する。
【実施例１】
【００１７】  図１、図２、図３、図４は本発明の第１の実施例の構成である。
初めに本発明とは直接関係無いが、テープ走行に関わる構成を説明する。
ベース２は転写アーム軸部２０ａ、供給リール軸部２１ａ、巻き取りリール軸部２２ａの３箇所の回転支持軸を有する。またそれぞれの軸部先端には爪が設けられ挿入される部材を回転自由に、かつ、抜けないように保持する。【００１８】  供給ギア５にまずフリクションばね５０が挿入され、さらに供給リール４が挿入される。フリクションばね５０と供給リール４は供給リール押さえ爪５ｂで外れないように一体化される。この状態では供給ギア胴部５ｄに供給リールの嵌合ガイド部４ｃが嵌合し、さらにフリクションばね５０による摩擦力によって一体となって回転するが、供給リール４と供給ギア５のいずれか一方を固定しても他方は滑りながら回転可能である。一体となった供給リール４と供給ギア５とフリクションばね５０はベース２の供給リール軸部２１ａに挿入され供給ギアの嵌合ガイド部５ａが嵌合し回転可能に、かつ供給リール軸部の押さえ爪２１ｂによって抜け落ちない様に保持される。【００１９】  なお、供給リール４のテープ巻装部４ａにはテープロール１６ｄが巻かれている。またテープロール１６ｄは供給リール４のツバ４ｂで側面をカバーされている。【００２０】  テープ１６は、その先端がテープロール１６ｄの外周から離れ、転写ローラー８の胴部８ａに嵌められた転写チューブ９の外側を廻って、反対側で再度テープロール１６ｄに接し巻き取りパス１６ｃに示すように巻き取りリール６の巻取り部６ｂに留められ巻き取られる。このとき、巻き取りが竹の子状になるのを防ぐため、巻き取りリール６にはフランジ６ｄが設けられている。【００２１】  その後、巻き取りリール６はベース２の巻き取りリール軸部２ａに挿入され、巻き取りリールの嵌合ガイド部６ａが嵌合し回転可能に、かつ巻き取りリール軸部の押さえ爪２２ｂによって抜け落ちない様に保持される。【００２２】  この状態で、巻き取りギア６ｃと供給ギア５のギア部５ｃは噛合している。又供給ギア５にはベース２の逆転防止爪２６が係合し繰り出される方向とは反対に逆転することを防いでいる。【００２３】  以上の構成で、使用につれてテープ１６のロール１６ｄの外径が小さくなっても、巻き取りパス１６ｃはたるむこと無く巻き取りリール６に巻き取られる。さらにベース２のカバー固定穴２７にカバー３の固定軸３ａが圧入され、ベース２とカバー３が一体となる。【００２４】  次に本発明に関わる先端の転写アーム７まわりの説明をする。【００２５】  転写アーム７の先端の転写ローラー軸穴７ｃに転写ローラー８の転写ローラー軸８ｂが嵌合し、転写ローラー８が回転可能に保持されている。なお転写ローラー８の胴部８ａには転写チューブ９があらかじめ挿入され固着している。さらに転写アーム７のアイドルギア軸７ｄにはアイドルギア１１と遊星アーム１０が嵌められアイドルギア押さえ爪７ｅで回転可能でかつ抜け落ちないように保持されている。アイドルギア１１は転写ローラー８の転写ギア８ｂと噛合する。【００２６】  遊星アーム１０の遊星ギア軸１０ｂには遊星ギア１２が嵌合しており、転写アーム７と遊星アーム１０にはさまれて抜け落ちない。尚、この嵌合はすきま嵌めでは無く軽い回転摩擦力を有する。遊星ギア１２は、アイドルギア１０及びベース２の扇形ギア２５と噛合する。遊星アーム１０の遊星ばね軸１０ｃと転写アーム７の遊星ばねかけ７ｇにはごく弱い遊星ばね１０ｄが掛けられる。遊星アーム１０は遊星回動穴１０ｃを中心として揺動可能である。【００２７】  ベース２上の扇形ギア２５は転写アーム軸部２０ａと同心である。
ベース２のスイングばねかけ２４と転写アーム７の規制ボス７ｂにはスイングばね７ｉが掛けられる。【００２８】  なお、転写アーム７の規制ボス７ｂはベース２の転写アーム角度規制穴に入り、転写アーム７の揺動角度が規制されている。【００２９】  同様に、遊星アーム１０の遊星ギア軸１０ｂの先端部が転写アーム７の遊星アーム規制穴７ｆに入り、遊星アームの揺動角度が規制されている。【００３０】  以上の構成で、ベース２の扇形ギア２５が駆動手段となり、また遊星ギア１２とアイドルギア１１と遊星アーム１０が回転伝達手段となり、また転写ローラー８の転写ギア８ｂが被駆動手段となる。【００３１】  次に図５において、その使い方を説明する。塗膜転写具１を使用者の手１５に保持して、図では転写チューブ９しか見えないが転写チューブ９及び転写ローラー８を被転写面１７にあてて転写を開始しようとする状態を実線で示し、さらに押し付けて、転写を行っている状態を２点鎖線で示している。【００３２】  実線で表される開始状態での転写アーム７０に対して２点鎖線で示される使用時の転写アーム７２は、図示されていないが上方の転写アーム７のスイング中心穴７ａを中心として時計方向に３０度回転して、すなわち揺動している。上記の通り、該角度が規制されてこれ以上は揺動しない。この３０度の間で、転写ローラー８及び転写チューブ９は転写ローラー軸穴７ｃにガイドされて約１８０度回転する。【００３３】  この結果、転写チューブ９と、被転写面１７に挟まれたテープ１６は約１０ｍｍ繰り出される。尚簡略化のためテープ１６は省略されている。【００３４】  参考までに、この実施例１に於ける各部の寸法は、扇形ギア２５の歯数が３６０度で５４だがその一部だけが形成されており、アイドルギア１１と遊星ギア１２の歯数はともに１３、転写ギアの歯数は９でモジュールは０．３である。さらに転写チューブ９の外側直径は約７ｍｍである。扇形ギアは３０度で４．５歯であるから、転写チューブ９は１８０度回転することになる。【００３５】  つまり使用者は、紙面右方向、すなわち手前に引く動作をしなくても、手首をわずかに内側に曲げるだけで、最大１０ｍｍの長さの短い転写が可能である。
ただし、前回終了時の塗膜切れ位置がばらつくため正確に１０ｍｍではないが、その塗膜切れ位置が紙面右方向つまり手前に約３０度寄っていたとしても約１．５ｍｍ短くなるに過ぎない。【００３６】  また、上記のように塗膜先端位置が３０度手前に寄って転写チューブ直下に無くても、以上のように、押し付けて揺動させれば、転写チューブの回転により転写チューブと被粘着面に挟まれたテープ１６は繰り出されるので、スリップ等のミスは無い。【００３７】  図２に示すように、転写ローラー８の胴部８ａには転写チューブ９が嵌められて一体となっている。転写性を向上させるために一般に転写チューブにはシリコンゴム等の弾性部材が使用される。このため転写チューブ９の表面はテープ基材に対して滑りにくく、転写チューブ９と被転写面１７に挟まれたテープ基材は、転写チューブ９の回転により容易に繰り出される。【００３８】  図６、図７、図８に於いて、この後の動きを説明する。図６、図７、図８はベース２側から見ているので図５と動きが反対方向になる。図６は揺動前、図７は揺動後をしめす。【００３９】  図６において静止状態の転写アーム７０は使用時スイング方向７１の矢印方向に揺動を開始するが、この時遊星ギア１２は扇形ギア２５によって反時計方向に回される。前期の通り遊星ギア１２の回転には弱い摩擦力があるので、扇形ギア２５は噛合している遊星ギア１２の歯面を介して遊星アーム１０を反時計方向にまわそうとし、扇形ギア２５と遊星ギア１２の噛合は外れない。【００４０】  図７において揺動しきった状態から紙面左方向、つまり手前に引く操作をすると、転写ギア８ｂは反時計方向に回転しアイドルギア１１が時計方向、遊星ギア１２が反時計方向に回される。【００４１】  この結果、図８に示すように、遊星アーム１０が時計方向に回され遊星ギア１２と扇形ギア２５の噛合が外れ、転写ギア８ｂは単独で回転可能となる。転写を終了して被転写面１７から離れるときはスイングばね７ｉで戻り時スイング方向７３の矢印方向に揺動が戻るが、この方向においても転写アーム１０は時計方向にすなわち扇形ギア２５と遊星ギア１２の噛合を逃がす方向に回転する。
なお、遊星ばね１０ｄは、図６に戻った状態から図７に移行するときに扇形ギア２５と遊星ギア１２の噛合を開始させるために設けられている。
またテープ走行方向１８はテープを繰り出して転写をするときのテープの移動方向を示す。
【実施例２】
【００４２】  図９は本発明の第２の実施例における、カバー側からみた分解斜視図で、図１０はベース側からみた分解斜視図である。巻き取りリール、供給リールおよびテープに関わる構成は第１の実施例と同様であり省略している。【００４３】  また、転写アーム７の一端に保持される転写ローラー８と転写チューブ９の構成も第１の実施例と同様である。さらに転写アーム７の規制ボス７ｂとベース２のスイングばねかけ２４にスイングばね７ｉが掛けられ、揺動が転写アーム角度規制穴２３で規制されているのも同様である。【００４４】  図９と図１０において、第１の実施例と異なる構成を以下説明する。【００４５】  転写アーム７にはアイドルギア軸７ｄとアイドルギア押さえ爪７ｅが設けられ、アイドルギア１１が単独で嵌合して回転自由で抜け落ちないように保持される。【００４６】  ラチェットホイールギア１４は片面が抉られ内側円周部にラチェット爪かかり１４ａが配設されている。ラチェットギア１３は弾性変形可能なラチェット爪１３ａと一体で、ラチェットホイールギア１４と組み合わされる。【００４７】  転写アーム７のラチェットギア軸７ｊがラチェットギア１３の軸穴１３ｂとラチェットホイールギア１４の共通軸穴１４ｂを貫通し、ラチェットギア１３とラチェットホイールギア１４は同軸で回転可能に保持され、ラチェットホイール押さえ爪７ｋで抜け落ちない。尚ラチェットホイールギア１４の大ギア部１４ｃの歯先円は、ラチェットギア１３の小ギア部１３ｃより大きい。【００４８】  駆動手段であるベース２の扇形ギア２５は大ギア部１４ｃに噛合し、小ギア部１３ｃがアイドルギア１１に噛合している。以上の構成で回転伝達手段をなす。【００４９】  さらにアイドルギア１１が被駆動手段である転写ギア８ｂに噛合している。【００５０】  図１１は転写開始時のベース側からみた部分拡大平面図であり図１２は転写途中のベース側からみた部分拡大平面図である。【００５１】  図１１に示すように使用者によって被転写面に押し付けられると、静止状態の転写アーム７０は使用時スイング方向７１の矢印方向に揺動を開始し、このときラチェットホイールギア１４とその下のラチェットギア１３がラチェット爪かかり１４ａとラチェット爪１３ａの係合により一体となって反時計方向に回転し、アイドルギア１１の時計方向回転により転写ギア８ｂが反時計方向に回転させられ、テープ１６はテープ走行方向１８の矢印方向に繰り出される。【００５２】  図１２に示すように揺動しきった状態から紙面左方向つまり手前に引く操作をすると転写ギア８ｂが反時計回転、アイドルギア１１が時計回転しラチェットギア１３は反時計方向に回されるが、このときラチェット爪１３ａは弾性変形してラチェット爪かかり１４ａの表面を滑って係合しない。従ってラチェットホイールギア１４には回転が伝えられない。【００５３】  図１２の状態から、塗膜転写具を持ち上げて被転写面１７から離すと、使用時の転写アーム７２は戻り時スイング方向７３の矢印方向に揺動が戻るが、このときラチェットホイールギア１４は時計方向に回転させられ、ラチェット爪かかり１４ａはラチェット爪１３ａを弾性変形させて係合しない。ラチェットギア１３には回転が伝えられない。【００５４】  以上、ギアを回転伝達手段とした二つの実施例を示したが、例えばベルトを回転伝達手段として使用したり、またリンクによって揺動を回転に変換することも可能である。本発明の要旨を逸脱しない範囲で自由に変換、改良が可能である。
【産業上の利用可能性】
【００５５】  本発明は、塗膜転写具の使用者に対し使い勝手を大幅に向上させ、あらゆる分野でひろく利用されるものである。
【符号の説明】
【００５６】１          塗膜転写具
２          ベース
２０ａ    転写アーム軸部                  ２３        転写アーム角度規制穴
２０ｂ    転写アーム軸部の押さえ爪        ２４        スイングばねかけ
２１ａ    供給リール軸部                  ２５        扇形ギア
２１ｂ    供給リール軸部の押さえ爪        ２６        逆転防止爪
２２ａ    巻き取りリール軸部              ２７        カバー固定穴
２２ｂ    巻き取りリール軸部の押さえ爪
３          カバー
３ａ      固定軸
４          供給リール
４ａ      テープ巻装部
４ｂ      ツバ
４ｃ      供給リールの嵌合ガイド部
５          供給ギア                        ５０        フリクションばね
５ａ      供給ギアの嵌合ガイド部
５ｂ      供給リール押さえ爪
５ｃ      ギア部
５ｄ      供給ギア胴部
６          巻き取りリール
６ａ      巻き取りリールの嵌合ガイド部
６ｂ      巻き取り部
６ｃ      巻き取りギア
６ｄ      フランジ
７          転写アーム
７ａ      スイング中心穴                  ７０        静止状態の転写アーム
７ｂ      規制ボス                        ７１        使用時スイング方向
７ｃ      転写ローラー軸穴                ７２        使用時の転写アーム
７ｄ      アイドルギア軸                  ７３        戻り時スイング方向
７ｅ      アイドルギア押さえ爪
７ｆ      遊星アーム規制穴
７ｇ      遊星ばねかけ
７ｉ      スイングばね
７ｊ      ラチェットギア軸
７ｋ      ラチェットホイール押さえ爪
８          転写ローラー
８ａ      胴部
８ｂ      転写ギア
８ｃ      転写ローラー軸
９          転写チューブ
１０        遊星アーム
１０ａ    遊星回動穴
１０ｂ    遊星ギア軸
１０ｃ    遊星ばね軸
１０ｄ    遊星ばね
１１        アイドルギア
１２        遊星ギア                        １５        使用者の手
１３        ラチェットギア                  １６        テープ
１３ａ    ラチェット爪                      １６ａ    静止パス
１３ｂ    軸穴                              １６ｂ    使用時パス
１３ｃ    小ギア部                          １６ｃ    巻き取りパス
１４        ラチェットホイールギア            １６ｄ    ロール
１４ａ    ラチェット爪かかり              １７        被転写面
１４ｂ    共通軸穴                        １８        テープ繰り出し方向
１４ｃ    大ギア部
【図１】
2012066561.tif 000003
【図２】
2012066561.tif 000004
【図３】
2012066561.tif 000005
【図４】
2012066561.tif 000006
【図５】
2012066561.tif 000007
【図６】
2012066561.tif 000008
【図７】
2012066561.tif 000009
【図８】
2012066561.tif 000010
【図９】
2012066561.tif 000011
【図１０】
2012066561.tif 000012
【図１１】
2012066561.tif 000013
【図１２】
2012066561.tif 000014